(57)【要約】【課題】可変利得増幅回路や検波器に温度特性のバラツキがあっても、入力信号レベルの検出精度を温度に依らず高精度に保つことのできる入力レベル検出型増幅回路を提供すること。【解決手段】可変利得増幅回路３で増幅され分配器４で分配された一方の信号は出力端子５から出力され、もう一方は検波器６で検波され利得調整部９に入力される。利得調整部９の検波信号補償部２９は温度情報と基準温度における検波電圧とから検波信号の目標値を出力し、検波信号減算部２４は目標値から検波信号を減算する。制御部１４は、減算結果が小さくなるように利得制御信号を制御する。利得制御信号補償値生成部１６は温度情報と基準温度における利得制御信号とから利得制御信号補償値を出力し、利得制御信号補償部１３は利得制御信号と利得制御信号補償値とに基づいて利得制御信号を補償する。入力レベル信号生成部２０は利得制御信号に応じた入力レベル信号を出力する。【選択図】　　図１
2004104582.tif 000002
【特許請求の範囲】
【請求項１】
入力信号を利得制御信号に応じた利得で増幅する可変利得増幅回路、前記可変利得増幅回路の出力信号を分配する分配器、および前記分配器によって分配された出力信号の一方を検波して検波信号を出力する検波器を有する増幅部と、
前記利得制御信号を生成する利得調整部と、を備えた入力レベル検出型増幅回路であって、
前記利得調整部は、
温度を検出して温度情報を出力する感温素子と、
基準温度における検波信号の電圧レベルを記憶している基準温度検波電圧レベル記憶部と、
前記感温素子が出力した温度情報と、前記基準温度検波電圧レベル記憶部に記憶されている前記基準温度における検波信号の電圧レベルとに基づいて、検波信号の目標値を出力する検波信号温度補償部と、
前記検波信号の目標値から前記検波器から出力された検波信号の電圧レベルを減算した検波信号減算部と、
前記検波信号減算部で得られた減算結果が０に近づくよう利得制御信号を制御して出力する制御部と、を有することを特徴とする入力レベル検出型増幅回路。
【請求項２】
前記利得調整部は、
基準温度における利得制御信号値を記憶している基準温度利得制御信号記憶部と、
前記感温素子が出力した温度情報と、前記基準温度利得制御信号記憶部に記憶されている前記基準温度における利得制御信号とに基づいて、利得制御信号の補償値を生成する利得制御信号補償値生成部と、
前記利得制御信号補償値生成部によって生成された補償値から、前記制御部から出力された利得制御信号を補償する利得制御信号補償部と、
前記利得制御信号温度補償部によって補償された利得制御信号に応じた入力信号のレベルを示す入力レベル信号を生成する入力レベル信号生成部と、
を有することを特徴とする請求項１記載の入力レベル検出型増幅回路。
【請求項３】
入力信号を増幅する入力増幅器と、
前記入力増幅器で増幅された入力信号と増幅されていない入力信号とを選択的に前記可変利得増幅回路に入力する選択部と、
を備えたことを特徴とする請求項１または２記載の入力レベル検出型増幅回路。
【請求項４】
前記増幅部が前記感温素子を有することを特徴とする請求項１、２または３記載の入力レベル検出型増幅回路。
【請求項５】
前記可変利得増幅回路は、
それぞれ利得の異なる従属接続された複数の可変利得増幅器を有し、
前記複数の可変利得増幅器がそれぞれ前記感温素子を有することを特徴とする請求項４記載の入力レベル検出型増幅回路。
【請求項６】
前記可変利得増幅回路は、
カレントミラー基準電圧を出力するカレントミラー回路と、
前記カレントミラー回路を定電流源に用いた定電流型差動増幅器と、
を有することを特徴とする請求項１、２、３、４または５記載の入力レベル検出型増幅回路。
【請求項７】
前記可変利得増幅回路は、
前記定電流型差動増幅器を複数有し、
前記複数の定電流型差動増幅器が従属接続されていると共に、各定電流型差動増幅器に対応した前記カレントミラー回路をそれぞれ有することを特徴とする請求項６記載の入力レベル検出型増幅回路。
【請求項８】
前記カレントミラー回路の温度を検出して温度情報を出力する感温素子と、
当該感温素子から出力された温度情報に基づいて、前記カレントミラー回路のカレントミラー電流の温度補償を行うカレントミラー電流補正回路と、
を備えたことを特徴とする請求項６または７記載の入力レベル検出型増幅回路。
【請求項９】
電源投入時からの経過時間を計測するタイマーと、
前記タイマーによって計測された第１の時点の利得制御信号を記憶する利得制御信号記憶部と、
前記タイマーによって計測された前記第１の時点から所定時間経過後の第２の時点の利得制御信号と、前記利得制御信号記憶部に記憶されている前記第１の時点の利得制御信号とを比較する利得制御信号比較部と、
前記利得制御信号比較部で得られた比較結果に基づいて、前記利得制御信号の安定性を判定する判定部と、
を備えたことを特徴とする請求項１、２、３、４、５、６、７または８記載の入力レベル検出型増幅回路。
【請求項１０】
温度を検出して温度情報を出力する第１の感温素子と、
温度を検出して温度情報を出力する、前記第１の感温素子と異なる場所に設けられた第２の感温素子と、
前記第１の感温素子から出力された温度情報および前記第２の感温素子から出力された温度情報に基づいて、場所による温度のばらつきを判定する温度特性判定部と、
を備えたことを特徴とする請求項１、２、３、４、５、６、７、８または９記載の入力レベル検出型増幅回路。
【発明の詳細な説明】
【０００１】
【発明の属する技術分野】
本発明は、入力信号のレベルに応じて利得調整を行う入力レベル検出型増幅回路に関し、特に、入力信号のレベルの測定精度について温度補償を行う機能を備えた入力レベル検出型増幅回路に関するものである。
【０００２】
【従来の技術】
図１４（ａ）は従来の入力レベル検出型増幅回路のブロック図、図１４（ｂ）は入力レベル検出型増幅回路の利得調整部のブロック図である。同図に示した従来の入力レベル検出型増幅回路１００の入力端子１０１に入力された入力信号は、可変利得増幅回路１０２で増幅された後、分配器１０３により分配される。可変利得増幅回路１０２は、利得制御信号入力端子１１６より入力される利得制御信号に応じて増幅利得を調整する。分配器１０３で分配された一方の信号は出力信号として出力端子１０４から出力される。分配されたもう一方の信号は検波器１０５により検波され、検波信号出力端子１１５より検波信号として出力される。検波信号は、利得調整部１０６の入力端子１０７に入力される。
【０００３】
利得調整部１０６では、比較器１０９において、検波信号のレベルと基準電圧発生部１０８に予め設定された基準電圧（目標レベル）との比較が行われる。比較器１０９は、その比較結果に応じた信号を制御部１１０に与える。制御部１１０は、比較器１０９からの信号に応じて、検波信号のレベルを基準電圧に近づけるべく利得制御信号を出力する。利得制御信号は、Ｄ／Ａ変換器１１４によりアナログ信号に変換された後、利得調整部１０６の出力端子１１１より出力され、利得制御信号入力端子１１６に入力される。
【０００４】
また、制御部１１０より出力された利得制御信号は、入力レベル信号生成部１１２に入力される。入力レベル信号生成部１１２は、利得制御信号と入力信号のレベルとを対応させたテーブル情報を記憶しており、入力された利得制御信号と対応する入力信号のレベルを示す入力レベル信号を出力する。入力レベル信号は、入力レベル信号出力端子１１３より出力される。
【０００５】
以上の動作により、ある入力信号が入力端子１０１に入力されると、検波器１０５から出力される検波信号は予め規定された値に収束して定常状態となる。このとき、入力信号のレベルと利得制御信号は１対１の関係にあるため、入力信号レベル生成部１１２に記憶されたテーブル情報をもとに、利得制御信号に従って入力信号のレベルを求めることができる。そのテーブル情報の例を表１に示す。
【０００６】
【表１】
2004104582.tif 000003
【０００７】
【発明が解決しようとする課題】
しかしながら、可変利得増幅回路１０２や検波器１０５は、半導体回路で構成されているため、可変利得増幅回路１０２の利得や検波器１０５の検波効率が温度によって変動する。
【０００８】
このため、従来の入力レベル検出型増幅回路は、温度変化時に入力信号レベルの検出精度が劣化するという問題があった。この問題の解決方法として、入力レベル検出型増幅回路の温度特性に対して、逆の温度特性を持つ回路を従属接続することにより、温度依存性を相殺するという方法があるが、そのためには図１８に示すように、可変利得増幅回路１０２の温度補償を行う温度補償部１２０および検波器１０５の温度補償を行う温度補償部１２１を付加する必要がある。
【０００９】
ここで、検波器１０５による誤差と、入力レベル信号の誤差との関係について説明する。従来の入力レベル検出型増幅回路は、検波器１０５より出力される検波信号の値を予め規定された基準値と一致するように利得制御信号を調整する。このため、例えば検波器１０５に入力される信号のレベルが同一であっても、検波器１０５から出力される検波信号が高い値を出力する状態においては、検波器１０５に入力される信号のレベルがその誤差分だけ低いレベルの状態で定常状態となる。そのときの利得制御信号から換算した入力レベル信号は、検波器１０５に誤差がない場合に比べて、入力レベル信号は低い値となる。逆に、検波信号が低い値を出力する状態においては、入力レベル信号は高い値となる。このように、検波器１０５の誤差と、入力レベル信号の誤差との間には負の相関がある。
【００１０】
次に、可変利得増幅回路１０２の利得を制御する利得制御信号の誤差と、入力レベル信号の誤差との関係について説明する。可変利得増幅回路１０２の利得が低い場合において、利得制御信号が安定した場合は、可変利得増幅回路１０２の利得に誤差がない場合に比べて、利得制御信号は高い値となる。そのため、入力レベル信号は、可変利得増幅回路１０２に誤差がない場合に比べて低い値を出力する。逆に、可変利得増幅回路１０２の利得が高い場合は、入力信号レベルは低い値となる。そのため、入力レベル信号は、可変利得増幅回路１０２に誤差がない場合に比べて高い値となる。このように、可変利得増幅回路１０２の利得の誤差の値と、入力レベル信号との間には正の相関がある。
【００１１】
ここで、図１９（ａ）に、可変利得増幅回路１０２の温度対絶対利得特性を示す。また、図１９（ｂ）に、可変利得増幅回路１０２の温度対相対利得特性を示す。また、図１９（ｃ）に、電流増幅率ｈｆｅが標準値である可変利得増幅回路１０２の温度特性を基準とした温度対相対利得特性を示す。これらはいずれも、可変利得増幅回路１０２の電流増幅率ｈｆｅをパラメータとしている。このように、電流増幅率ｈｆｅと利得の温度特性との間には正の相関がある。
【００１２】
また、図２０（ａ）に、検波器１０５の温度対検波電圧特性を示す。また、図２０（ｂ）に、電流増幅率ｈｆｅが標準値の検波器１０５において、基準温度Ｔｒｅｆにおける検波信号の電圧を基準とした温度対検波電圧相対値特性を示す。また、図２０（ｃ）に、電流増幅率ｈｆｅが標準値の検波器１０５において、理想的な温度補償を行った場合の温度対検波電圧相対値特性示す。これらはいずれも、検波器１０５の電流増幅率ｈｆｅをパラメータとしている。このように、検波器の１０５の電流増幅率ｈｆｅと検波電圧の温度特性との間には正の相関がある。
【００１３】
以上より、可変利得増幅回路１０２の温度補償を行う温度補償部１２０および検波器１０５の温度補償を行う温度補償部１２１を用いた温度補償においては、電流増幅率ｈｆｅの標準値における温度特性を補償することしかできないため、電流増幅率ｈｆｅにバラツキがある場合には、入力信号レベルの検出精度にもバラツキが生じる。
【００１４】
このため、従来の入力レベル検出型増幅回路は、設計時および生産時にそれぞれの回路の特性バラツキを考慮する必要があるため量産に適さないという問題、入力信号レベルの検出精度を温度に依らず高精度に保つことが難しいという問題があった。
【００１５】
また、入力レベル検出型増幅回路は、その前段または後段に、別途増幅回路を接続することにより、より高レベルの出力信号を得ることができるが、別途接続した増幅回路も半導体回路で構成され、その利得は温度依存性を有するため、そのための補償手段を付加する必要がある。
【００１６】
また、複数の増幅器を組み合わせて可変利得増幅回路を構成した場合、初段の増幅器と、最終段の増幅器では、最終段の増幅器の方が出力レベルが高くなる。そのため、一般的に、初段は利得が高く、最終段は利得が低く設計されることから、それぞれの利得の温度依存性に差異が生じる。そのため、複数の増幅器を組み合わせて構成された可変利得増幅回路は、例えば、可変利得増幅回路全体としての利得が同一であっても、それを構成する増幅器の各段の利得バラツキが存在する場合は、温度特性に差異が生じる。このため、同一の温度補償回路を用いた場合においても、可変利得増幅回路によって補償誤差が生じるため、入力信号レベルの検出精度を温度に依らず高精度に保つことが難しいという問題があった。
【００１７】
また、カレントミラー回路を定電流源に用いた定電流型差動増幅回路により可変利得増幅回路を構成した場合、カレントミラー電流を補償しても、カレントミラー回路を構成するＮＰＮトランジスタの電流増幅率ｈｆｅｎと、ＰＮＰトランジスタの電流増幅率ｈｆｅｐのそれぞれのバラツキに差異が生じる。一般に電流増幅率ｈｆｅｐのバラツキはｈｆｅｎよりも１桁程度大きい。このため、入力信号レベルの検出精度を温度に依らず高精度に保つことが難しいという問題があった。
【００１８】
また、カレントミラー回路を定電流源に用いた複数の定電流型差動増幅回路により可変利得増幅回路を構成した場合、カレントミラー回路の電流値毎に温度依存性に差異が生じるため、定電流型差動増幅回路の温度特性もそれぞれ独立に変動する。このため、入力信号のレベルの検出精度を温度に依らず高精度に保つことが難しいという問題があった。
【００１９】
また、入力レベル検出型増幅回路を集積回路で実現した場合、利得の温度特性は、量産時における電流増幅率ｈｆｅのロット間バラツキにより、カレントミラー回路の電流もバラツキを持つ。このため、入力信号レベルの検出精度を温度に依らず高精度に保つことが難しいという問題があった。
【００２０】
また、電源投入直後におけるプリヒート時間を要する場合は、製造工程においてプリヒート時間を含めた調整時間が増大し、製造効率が低下する。また、実動作時において、電源投入直後に即座に使用できないという問題があった。
【００２１】
また、調整時や実使用時にプリヒートを行う際に、温度が安定するまでの時間が短い入力レベル検出型増幅回路においても、特性バラツキによるマージンを含めたプリヒート時間を割り当てる必要があり、製造工程におけるプリヒート時間を含めた調整時間が増大し、製造効率が低下するという問題があった。
【００２２】
また、従来の入力レベル検出型増幅回路を受信装置の受信信号増幅用の回路に用いた場合、受信信号のレベルを検出する精度が温度変化により劣化することにより、例えば、受信回路が飽和するなどの過大な入力レベルである場合においてもそれを検出することができず、そのままの状態で通信を行ってしまい、通信性能が劣化するという問題があった。
【００２３】
また、従来の入力レベル検出型増幅回路をブースタ装置に用いた場合、その前段の回路から送られてきた信号を増幅して後段の回路に出力する際に、伝送路の温度特性を考慮しないため、高温環境下で伝送路の挿入損失が増大しているときには、後段の回路に入力される信号のレベルが低下してしまい、伝送品質が劣化するという問題があった。
【００２４】
また、従来の入力レベル検出型増幅回路を、送信アンテナまで伝送路を備えた送信装置、例えば地上に設置された主装置と鉄塔上に配置された送信アンテナとを結ぶ伝送路を備えた送信装置の送信信号増幅用の回路に用いた場合、伝送路の挿入損失を補正するための減衰器を必要とするため、コストが増大する。また、伝送路が短い場合においても、送信装置の最終段の増幅器からは、過大な送信信号を出力する必要があるため、消費電力が増大すると言う問題があった。
【００２５】
また、従来の入力レベル検出型増幅回路を、無線通信基地局装置の送信信号増幅用および受信信号増幅用の回路に用いた場合、受信レベル検出精度や送信信号レベルの精度が温度によって変動することにより、無線通信基地局装置の送信信号の到達範囲が変動してしまう。図１７（ａ）は、互いに隣接する３つのセル１〜３のうち、セル１に配置された無線通信基地局装置の送信信号の到達域が予定範囲よりも広くなった場合を示している。この場合、他のセル２，３の無線通信基地局装置や無線通信端末の通信を妨害するなどの影響が生じてしまう。また、図１７（ｂ）は、セル１に配置された無線通信基地局装置の送信信号の到達域が予定範囲よりも狭くなった場合を示している。この場合、セル１の領域における通話品質が劣化する。
【００２６】
本発明は、上記従来の問題または事情に鑑みてなされたものであって、可変利得増幅回路や検波器に温度特性のバラツキがあっても、入力信号レベルの検出精度を温度に依らず高精度に保つことのできる入力レベル検出型増幅回路を提供することを目的としている。
【００２７】
【課題を解決するための手段】
上記目的を達成するために、本発明に係る入力レベル検出型増幅回路は、入力信号を利得制御信号に応じた利得で増幅する可変利得増幅回路、前記可変利得増幅回路の出力信号を分配する分配器、および前記分配器によって分配された出力信号の一方を検波して検波信号を出力する検波器を有する増幅部と、前記利得制御信号を生成する利得調整部と、を備えた入力レベル検出型増幅回路であって、前記利得調整部は、温度を検出して温度情報を出力する感温素子と、基準温度における検波信号の電圧レベルを記憶している基準温度検波電圧レベル記憶部と、前記感温素子が出力した温度情報と、前記基準温度検波電圧レベル記憶部に記憶されている前記基準温度における検波信号の電圧レベルとに基づいて、検波信号の目標値を出力する検波信号温度補償部と、前記検波信号の目標値から前記検波器から出力された検波信号の電圧レベルを減算した検波信号減算部と、前記検波信号減算部で得られた減算結果が０に近づくよう利得制御信号を制御して出力する制御部と、を有する。したがって、検波器から出力される検波信号を目標値に収束させると共に、電流増幅率のバラツキにより生じる検波器の温度特性バラツキを吸収した温度補償を実現することができる。
【００２８】
また、本発明に係る入力レベル検出型増幅回路は、前記利得調整部は、基準温度における利得制御信号値を記憶している基準温度利得制御信号記憶部と、前記感温素子が出力した温度情報と、前記基準温度利得制御信号記憶部に記憶されている前記基準温度における利得制御信号とに基づいて、利得制御信号の補償値を生成する利得制御信号補償値生成部と、前記利得制御信号補償値生成部によって生成された補償値から、前記制御部から出力された利得制御信号を補償する利得制御信号補償部と、前記利得制御信号温度補償部によって補償された利得制御信号に応じた入力信号のレベルを示す入力レベル信号を生成する入力レベル信号生成部と、を有する。したがって、可変利得増幅回路から出力される信号を収束させるとともに、電流増幅率のバラツキにより生じる可変利得増幅回路の温度特性バラツキを吸収した温度補償を実現することができる。
【００２９】
また、本発明に係る入力レベル検出型増幅回路は、入力信号を増幅する入力増幅器と、前記入力増幅器で増幅された入力信号と増幅されていない入力信号とを選択的に前記可変利得増幅回路に入力する選択部と、を備えている。このため、入力増幅器で増幅された入力信号を選択することにより、高レベルの出力信号を得ることができ、このときの入力レベル信号は入力増幅器の利得だけ高い値となる。一方、増幅されていない入力信号を選択することにより、入力信号のレベルを高精度に検出できる。このため、増幅されていない入力信号を選択した場合と、増幅された入力信号を選択した場合とにおける入力レベル信号の差を求めることにより、入力増幅器の標準温度における利得を求めることができる。したがって、利得制御信号補償値生成部に、入力増幅器の温度特性を加味したテーブル情報を持たせることにより、入力増幅器の温度特性を補償するための手段を別途備えることなく、入力増幅器の利得の温度補償を行うことができる。
【００３０】
また、本発明に係る入力レベル検出型増幅回路は、前記増幅部が前記感温素子を有する。この場合、利得調整部に感温素子を内蔵した場合と比べて、感温素子と可変利得増幅回路および検波器との距離が小さくなるため、可変利得増幅回路および検波器の温度を正確に測定することができる。
【００３１】
また、本発明に係る入力レベル検出型増幅回路は、前記可変利得増幅回路は、それぞれ利得の異なる従属接続された複数の可変利得増幅器を有し、前記複数の可変利得増幅器がそれぞれ前記感温素子を有する。したがって、可変利得増幅回路の利得の可変幅を広く取ることができると共に、可変利得増幅回路を構成している複数の可変利得増幅器の温度特性のバラツキによって生じる利得の補償誤差を小さくすることができる。
【００３２】
また、本発明に係る入力レベル検出型増幅回路は、前記可変利得増幅回路は、カレントミラー基準電圧を出力するカレントミラー回路と、前記カレントミラー回路を定電流源に用いた定電流型差動増幅器と、を有する。したがって、カレントミラー基準電圧に関して、基準温度における値と温度変化時における値とを比較することにより、可変利得増幅回路の温度を検出することができる。
【００３３】
また、本発明に係る入力レベル検出型増幅回路は、前記可変利得増幅回路は、前記定電流型差動増幅器を複数有し、前記複数の定電流型差動増幅器が従属接続されていると共に、各定電流型差動増幅器に対応した前記カレントミラー回路をそれぞれ有する。したがって、可変利得増幅回路の利得の可変幅を広く取ることができると共に、可変利得増幅回路を構成している複数の増幅回路要素の温度特性のバラツキによって生じる利得の補償誤差を小さくすることができる。
【００３４】
また、本発明に係る入力レベル検出型増幅回路は、前記カレントミラー回路の温度を検出して温度情報を出力する感温素子と、当該感温素子から出力された温度情報に基づいて、前記カレントミラー回路のカレントミラー電流の温度補償を行うカレントミラー電流補正回路と、を備えている。したがって、カレントミラー回路の温度に基づいて、差動増幅器の利得の温度特性を補償することができる。
【００３５】
また、本発明に係る入力レベル検出型増幅回路は、電源投入時からの経過時間を計測するタイマーと、前記タイマーによって計測された第１の時点の利得制御信号を記憶する利得制御信号記憶部と、前記タイマーによって計測された前記第１の時点から所定時間経過後の第２の時点の利得制御信号と、前記利得制御信号記憶部に記憶されている前記第１の時点の利得制御信号とを比較する利得制御信号比較部と、前記利得制御信号比較部で得られた比較結果に基づいて、前記利得制御信号の安定性を判定する判定部と、を備えている。このため、電源投入直後に、入力レベル検出型増幅回路の各部の発熱の影響によって温度特性に差異があらわれた場合に、それが許容範囲内におさまっているか否かを判断することができる。したがって、プリヒート時間を設定する際に、特性バラツキを考慮してマージンを持たせる必要が無くなるため、プリヒート時間を短縮することができ、それによって製造効率を向上できる。
【００３６】
さらに、本発明に係る入力レベル検出型増幅回路は、温度を検出して温度情報を出力する第１の感温素子と、温度を検出して温度情報を出力する、前記第１の感温素子と異なる場所に設けられた第２の感温素子と、前記第１の感温素子から出力された温度情報および前記第２の感温素子から出力された温度情報に基づいて、場所による温度のばらつきを判定する温度特性判定部と、を備えている。このため、電源投入直後に、入力レベル検出型増幅回路の各部の発熱の影響によって、異なる場所間において温度差が生じた場合に、それが許容範囲内におさまったことを温度特性安定信号によって知ることができる。したがって、温度特性安定信号が出力された時点でプリヒートを完了することにより、プリヒート時間を短縮することができ、それによって製造効率を向上できる。
【００３７】
【発明の実施形態】
以下、本発明に係る入力レベル検出型増幅回路の実施の形態について、図面を用いて説明する。
【００３８】
［第１の実施形態］
図１（ａ）は第１の実施形態における入力レベル検出型増幅回路のブロック図、図１（ｂ）は利得調整部のブロック図である。図１（ａ）に示すように、第１の実施形態の入力レベル検出型増幅回路は、増幅部１０と利得調整部９とで構成される。増幅部１０は、入力端子１、可変利得増幅回路３、分配器４、出力端子５、および検波器６を備えている。利得調整部９は、図１（ｂ）に示すように、利得制御信号補償部１３、制御部１４、感温素子１５、利得制御信号補償値生成部１６、Ｄ／Ａ変換器１８、入力レベル信号生成部２０、Ａ／Ｄ変換器２２、基準温度検波電圧記憶部２３、および検波信号減算部２４を備えている。
【００３９】
可変利得増幅回路３は、トランジスタを用いた電圧制御型増幅器により構成される。分配器４は、ハイブリッド分配器や、方向性結合器などで構成することができる。検波器６は、トランジスタを用いたピーク検波回路や、ダイオードを用いた検波回路などで構成することができる。入力レベル信号生成部２０、利得制御信号補償部１３および利得制御信号補償値生成部１６は、それぞれテーブル情報を書き込んだＲＯＭなどの記憶素子を内蔵することにより実現できる。Ｄ／Ａ変換器１８、Ａ／Ｄ変換器２２、検波信号減算部２４などは、オペアンプを用いて構成できる。
【００４０】
図１に示す入力レベル検出型増幅回路の動作は以下のとおりである。増幅部１０の入力端子１に入力された入力信号は、可変利得増幅回路３で増幅された後、分配器４で分配される。可変利得増幅回路３は、利得制御信号入力端子８より入力される利得制御信号に応じて増幅利得を調整する。分配器４で分配された一方の信号は、出力信号として出力端子５から出力される。分配されたもう一方の信号は、検波器６により検波され、検波信号出力端子７より検波信号として出力される。検波信号は、利得調整部９の入力端子１１に入力される。
【００４１】
利得調整部９に入力された検波信号は、Ａ／Ｄ変換器２２によりデジタルデータに変換される。デジタルデータに変換された検波信号は、検波信号減算部２４の一方の入力端子に入力される。一方、感温素子１５により得られた温度情報は、検波信号補償部２９と利得制御信号補償値生成部１６とにそれぞれ入力される。
【００４２】
検波信号補償部２９のもう一方の入力端子には、基準温度検波電圧記憶部２３に記憶されている基準温度検波電圧が入力される。検波信号補償部２９は、感温素子１５からの温度情報と基準温度検波電圧記憶部２３からの基準温度検波電圧とに基づき、検波信号目標値を出力する。検波信号補償部２９に記憶されたテーブル情報の例を表２に示す。
【００４３】
【表２】
2004104582.tif 000004
【００４４】
検波信号目標値は検波信号減算部２４に出力される。検波信号減算部２４は、検波信号目標値から検波信号を減算した検波電圧減算信号を出力する。検波電圧減算信号は、制御部１４に入力される。制御部１４は、検波電圧減算信号が０となるように利得制御信号を変化させる。利得制御信号は、Ｄ／Ａ変換器１８によりアナログ信号に変換され、利得制御信号出力端子１９から利得制御信号入力端子８に出力される。
【００４５】
以上の動作により、検波器１０５から出力される検波信号を目標値に収束させると共に、ｈｆｅバラツキにより生じる検波器６の温度特性バラツキを吸収した温度補償を実現することができる。
【００４６】
一方、温度情報が入力された利得制御信号補償値生成部１６は、感温素子１５からの温度情報と基準温度利得制御信号記憶部１７からの基準温度における利得制御信号とに基づき、利得制御信号の温度補償値（利得制御信号補償値）を利得信号補償部１３に出力する。
【００４７】
利得制御信号補償部１３は、制御部１４から出力された利得制御信号と利得制御信号補償値とを加算し、温度補償された利得制御信号を入力信号レベル生成部２０に出力する。利得制御信号補償値生成部１６に記憶されているテーブル情報の例を表３に示す。
【００４８】
【表３】
2004104582.tif 000005
【００４９】
表２中の基準温度検波電圧は、基準温度Ｔｒｅｆにおいて、入力端子１より規定された信号を入力した際において、利得制御信号を任意に調整することにより、出力端子５より出力されるレベルを規定された信号レベルとなるように調整したときの検波電圧を記憶したものである。
【００５０】
検波器６は、電流増幅率ｈｆｅが高いほど、高い検波電圧を出力する特性を有しているので、検波電圧が高い場合は、検波器６のｈｆｅが高いと推定することができる。また、逆に、検波電圧が低い場合は、検波器６の電流増幅率ｈｆｅが低いと推定することができる。ｈｆｅのばらつきにより生じる検波電圧の温度特性のばらつきは、図２０に示すとおり、電流増幅率ｈｆｅとの相関が高いため、基準温度Ｔｒｅｆにおけるｈｆｅを推定することにより、検波電圧の温度補償値の最適値を選択することができ、検波器６の温度特性を高精度に補償することができる。
【００５１】
また、表３中の基準温度利得制御信号値は、基準温度検波電圧を得た時における利得制御信号の値であり、例えば、可変利得増幅回路３の電流増幅率が低いために利得が低い場合は、利得制御信号はｈｆｅが標準値の場合に比べて高い値となる。逆にｈｆｅが標準値より高い場合は、基準温度利得制御信号は低い値となる。したがって、基準温度利得制御信号値により、可変利得増幅回路３の温度特性を推定することにより、可変利得増幅回路３の温度特性を高精度に補償することができる。
【００５２】
［第２の実施形態］
図２は、第２の実施形態における入力レベル検出型増幅回路のブロック図である。第２の実施形態の入力レベル検出型増幅回路は、図１に示した第１の実施形態の入力レベル検出型増幅回路の前段に、第１の入力信号を増幅する入力増幅器２と、入力増幅器２で増幅された第１の入力信号と第２の入力信号とを選択的に入力端子１に入力する選択部２５とを備えたものである。
【００５３】
図２に示した第２の実施形態の入力レベル検出型増幅回路は、選択部２５において第２の入力信号を選択することにより、第１の実施形態と同様、入力信号のレベルを高精度に検出できる。一方、入力増幅器２で増幅された第１の入力信号を選択した場合は、入力レベル信号は入力増幅器２の利得だけ高い値となる。よって、増幅されていない第２の入力信号を選択した場合と、増幅された第１の入力信号を選択した場合とにおける入力レベル信号の差を求めることにより、入力増幅器２の標準温度Ｔｒｅｆにおける利得を求めることができる。したがって、利得制御信号補償値生成部１６に、入力増幅器２の温度特性を加味したテーブル情報を備えることにより、入力増幅器２の利得の温度補償を行うことができる。
【００５４】
なお、第１の入力信号と第２の入力信号のレベルは、必ずしも同一である必要はなく、入力増幅器２の利得バラツキを検出できる範囲であれば、それぞれのレベルを任意に定めることができる。
【００５５】
［第３の実施形態］
図３は、第３の実施形態における入力レベル検出型増幅回路のブロック図である。第３の実施形態の入力レベル検出型増幅回路は、その増幅部１０に感温素子１５を内蔵している。これにより、利得調整部９に感温素子１５を内蔵した場合と比べて、感温素子１５と可変利得増幅回路３および検波器６との距離が小さくなるため、第１の実施形態よりも可変利得増幅回路３および検波器６の温度を正確に測定することができる。
【００５６】
［第４の実施形態］
第４の実施形態では、図３に示した入力レベル検出型増幅回路において、増幅部１０を集積回路で構成すると共に、感温素子１５を可変利得増幅回路３または検波器６と同じサイズのトランジスタで構成する。このように構成することで、可変利得増幅回路３または検波器６の温度特性と相関性の高い温度特性を有する感温素子１５を実現できるので、増幅回路３や検波器６の温度を高精度に測定できる。
【００５７】
［第５の実施形態］
図４（ａ）は第５の実施形態における入力レベル検出型増幅回路のブロック図、図４（ｂ）は可変利得増幅回路のブロック図である。第５の実施形態の入力レベル検出型増幅回路は、感温素子を内蔵した可変利得増幅回路５１を備えている。
【００５８】
可変利得増幅回路５１は、図４（ｂ）に示すように、複数の可変利得増幅器５２ａ〜５２ｎを従属接続して利得の可変幅を広くすると共に、感温素子５５ａ〜５５ｎを可変利得増幅器５２ａ〜５２ｎごとに設ける。感温素子５５ａ〜５５ｎは、それぞれ可変利得増幅器５２ａ〜５２ｎとほぼ同じサイズのトランジスタで構成されている。
【００５９】
各可変利得増幅回路５２ａ〜５２ｎは、入力される信号のレベルが各々異なることから、それぞれの動作点に差異を持たせている。このため、それぞれの可変利得増幅器５２ａ〜５２ｎの温度特性には差異が生じるが、可変利得増幅器５２ａ〜５２ｎごとに感温素子５５ａ〜５５ｎが設けられているため、各可変利得増幅器５２ａ〜５２ｎの温度を個別に測定することができる。また、感温素子５５ａ〜５５ｎは、それぞれ可変利得増幅器５２ａ〜５２ｎとほぼ同じサイズのトランジスタで構成されているため、各可変利得増幅器５２ａ〜５２ｎの温度特性と高い相関性を有する。
【００６０】
したがって、第５の実施形態の入力レベル検出型増幅回路によれば、可変利得増幅回路５１の利得の可変幅を広く取ることができると共に、可変利得増幅回路５１を構成している複数の可変利得増幅器５２ａ〜５２ｎの温度特性のバラツキによって生じる利得の補償誤差を小さくすることができる。また、各可変利得増幅器５２ａ〜５２ｎと同じ値の電流を各感温素子５５ａ〜５５ｎに供給することにより、各可変利得増幅器５２ａ〜５２ｎと各感温素子５５ａ〜５５ｎとの温度特性の相関性をより高くすることができる。なお、可変利得増幅回路５１に内蔵された感温素子５５ａ〜５５ｎは、集積回路内部の他の回路要素の特性を検査するために用いることもできる。
【００６１】
［第６の実施形態］
図５（ａ）は第６の実施形態における入力レベル検出型増幅回路のブロック図、図５（ｂ）は可変利得増幅回路のブロック図である。第６の実施形態の入力レベル検出型増幅回路は、カレントミラー型の可変利得増幅回路６１を備えている。
【００６２】
可変利得増幅回路６１は、図５（ｂ）に示すように、カレントミラー電流設定抵抗６５とカレントミラー供給電圧Ｖｃｃとによりカレントミラー電流Ｉｃｍが設定されたカレントミラー回路６３と、カレントミラー電流Ｉｃｍによって駆動される定電流型差動増幅器６２により構成されている。カレントミラー回路６３は、その動作点を示すカレントミラー基準電圧Ｖｂｅを出力するカレントミラー電圧出力端子６４を備えている。
【００６３】
カレントミラー基準電圧Ｖｂｅは、温度が上昇するに従い、−２．５ｍＶ／℃程度の傾斜で変化する。したがって、カレントミラー基準電圧Ｖｂｅに関して、基準温度Ｔｒｅｆにおける値と温度変化時における値とを比較することにより、可変利得増幅回路６１の温度を検出することができる。また、カレントミラー基準電圧Ｖｂｅに基づいてカレントミラー電流Ｉｃｍを検出することもできる。そして、カレントミラー電流Ｉｃｍは、可変利得増幅回路６１の利得に比例する関係にあるため、カレントミラー電流Ｉｃｍに基づいて可変利得増幅回路６１の利得の温度依存性を検出することができる。
【００６４】
［第７の実施形態］
図６（ａ）は第７の実施形態における入力レベル検出型増幅回路のブロック図、図６（ｂ）は可変利得増幅回路のブロック図である。第７の実施形態の入力レベル検出型増幅回路は、多段カレントミラー型の可変利得増幅回路７１を備えている。
【００６５】
可変利得増幅回路７１は、図６（ｂ）に示すように、それぞれ利得の異なる複数の増幅回路要素７８〜８０を従属接続してなる。各増幅回路要素７８〜８０は、それぞれ、カレントミラー回路７５〜７７と、カレントミラー回路７５〜７７を定電流源に用いた定電流型差動増幅器７２〜７４とを備えている。
【００６６】
カレントミラー回路７５〜７７は、定電流型差動増幅器７２〜７４にカレントミラー電流Ｉｃｍ１、Ｉｃｍ２、Ｉｃｍ３をそれぞれ供給する。また、定電流型差動増幅器７２〜７４のカレントミラー電圧Ｖｂｅ１、Ｖｂｅ２、Ｖｂｅ３を出力するカレントミラー電圧出力端子８１〜８３をそれぞれ備えている。
【００６７】
この構成によれば、カレントミラー電圧Ｖｂｅ１、Ｖｂｅ２、Ｖｂｅ３に基づいて、カレントミラー電流Ｉｃｍ１、Ｉｃｍ２、Ｉｃｍ３のそれそれ異なる複数の増幅回路要素７８〜８０の温度を独立に測定することができる。したがって、第７の実施形態の入力レベル検出型増幅回路によれば、可変利得増幅回路７１の利得の可変幅を広く取ることができると共に、可変利得増幅回路７１を構成している複数の増幅回路要素７８〜８０の温度特性のバラツキによって生じる利得の補償誤差を小さくすることができる。
【００６８】
［第８の実施形態］
図７は、第８の実施形態における入力レベル検出型増幅回路の要部ブロック図である。第８の実施形態の入力レベル検出型増幅回路は、図５の装置構成に加えて、感温素子９３と、カレントミラー電流補正回路９１とを備えたものである。感温素子９３は、可変利得増幅回路９２に内蔵されている。
【００６９】
感温素子９３は、カレントミラー回路６３の温度を検出して温度情報を出力する。カレントミラー電流補正回路９１は、感温素子９３からの温度情報に基づいて、カレントミラー回路６３のカレントミラー電流Ｉｃｍの温度補償を行う。
【００７０】
上記の構成によれば、カレントミラー回路６３の温度に基づいて、差動増幅器６２の利得の温度特性を補償することができる。すなわち、カレントミラー回路６３のカレントミラー電流Ｉｃｍは差動増幅器６３の利得と比例するため、カレントミラー電流Ｉｃｍの温度補償を行うことにより、差動増幅器６２の利得の温度特性を補償することができる。なお、カレントミラー電流補正回路９１は、オペアンプなどを用いた出力インピーダンスの低い電圧増幅器により構成することができる。
【００７１】
［第９の実施形態］
図８（ａ）は第９の実施形態における入力レベル検出型増幅回路のブロック図、図８（ｂ）は温度特性安定判定部のブロック図である。第９の実施形態の入力レベル検出型増幅回路は、図１に示した第１の実施形態の装置構成に加えて、温度特性安定判定部２００を備えたものである。
【００７２】
温度特性安定判定部２００は、図８（ｂ）に示すように、利得制御信号入力端子２０１と、タイマー２０２と、利得制御信号記憶部２０４と、利得制御信号比較部２０３と、判定部２０５とを備えている。
【００７３】
タイマー２０２は、電源投入時からの経過時間を計測すると共に、クロック信号を生成して利得制御信号比較器２０３を動作させる。利得制御信号比較部２０３は、タイマー２０２により計測された第１の時点（前の時点）ｔ１における利得制御信号を利得制御信号記憶部２０４に記憶させ、第１の時点ｔ１から所定時間後の第２の時点（後の時点）ｔ２における利得制御信号と、利得制御信号記憶部２０４に記憶されている利得制御信号とを比較する。そして、比較を終える度に、利得制御信号記憶部２０４の記憶内容を消去し、同じ動作を繰り返す。判定部２０５は、利得制御信号比較部２０３による比較結果に基づいて、利得制御信号の安定性を判定し、第１の時点ｔ１と第２の時点ｔ２との間における利得制御信号の変化量が予め設定された値以下となった時点で、温度特性が安定したことを示す温度特性安定信号を温度特性安定信号出力端子２０７より出力する。
【００７４】
上記の構成によれば、電源投入直後に、入力レベル検出型増幅回路の各部の発熱の影響によって温度特性に差異があらわれた場合に、それが許容範囲内におさまっているか否かを判断することができる。したがって、プリヒート時間を設定する際に、特性バラツキを考慮してマージンを持たせる必要が無くなるため、プリヒート時間を短縮することができる。
【００７５】
［第１０の実施形態］
図９は、第１０の実施形態における入力レベル検出型増幅回路のブロック図である。第１０の実施形態の入力レベル検出型増幅回路は、図１に示した第１の実施形態の装置構成に加えて、温度特性安定判定部２１０と、第１の感温素子２１１と、第２の感温素子２１２とを備えたものである。第１の感温素子２１１は増幅部１０の外部に、第２の感温素子２１２は増幅部１０の内部に設けられている。温度特性安定判定部２１０は、第１の感温素子２１１からの第１の温度情報と第２の感温素子２１２からの第２の温度情報とを比較し、両者の差が予め設定された値以下となった時点で、温度特性が安定したことを示す温度特性安定信号を出力する。
【００７６】
上記の構成によれば、電源投入直後に、入力レベル検出型増幅回路の各部の発熱の影響によって、異なる場所間において温度差が生じた場合に、それが許容範囲内におさまったことを温度特性安定信号によって知ることができ、温度特性安定信号が出力された時点でプリヒートを完了することにより、プリヒート時間を短縮することができる。
【００７７】
［第１１の実施形態］
図１０は、第１１の実施形態を示す受信装置のブロック図である。この受信装置２２０は、入力レベル検出型増幅回路２２３を内蔵している。入力レベル検出型増幅回路２２３は、第１〜第１０の実施形態のいずれかに示したものである。
【００７８】
受信装置２２０は、受信信号を受信アンテナ２２１で受信する。受信信号は、受信フィルタ２２２によって不要波が除去された後、入力レベル検出型増幅回路２２３に入力される。入力レベル検出型増幅回路２２３は、受信信号（入力信号）を予め設定されたレベルに増幅して、復調回路２２４に出力すると共に、入力レベル信号を受信電界レベル信号として出力する。
【００７９】
上述したように、入力レベル検出型増幅回路２２３の入力信号レベル検出精度は温度変化時においても安定している。したがって、入力レベル検出型増幅回路２２３を受信信号増幅用の回路として使用することにより、温度変化時においても、受信電界レベル検出精度の安定した受信装置２２０を実現できる。
【００８０】
［第１２の実施形態］
図１１は、第１２の実施形態を示す信号伝送システムのブロック図である。この信号伝送システムは、前段回路２３１と後段回路２３５との間に、第１０の実施形態に示した入力レベル検出型増幅回路を内蔵したブースタ装置２３０が設けられている。前段回路２３１から出力された信号は、第１の伝送路２３２を通してブースタ装置２３０に入力される。ブースタ装置２３０は、入力された信号を予め設定されたレベルに増幅して出力する。ブースタ装置２３０から出力された信号は、第２の伝送路２３４を通して後段回路２３５に入力される。
【００８１】
ブースタ装置２３０を構成する入力レベル検出型増幅回路は、第１の伝送路２３２の温度を検出する第１の感温素子２１１を備えており、感温素子２３３による検出温度から第１および第２の伝送路２３２、２３４の挿入損失を推定し、検出温度が上昇するに従って増幅利得を増大させる。
【００８２】
第１および第２の伝送路２３２、２３４の挿入損失は、温度上昇に伴って増大するので、第１の感温素子２１１による検出温度が上昇するに従ってブースタ装置２３０の増幅利得を増大させることにより、温度変化時における伝送品質の劣化を抑えることができる。
【００８３】
［第１３の実施形態］
図１２は第１３の実施形態における送信装置のブロック図である。この送信装置は、第１０の実施形態に示した構成の入力レベル検出型増幅回路２４０を備えている。送信信号生成部２４１で生成された送信信号は、入力レベル検出型増幅回路２４０により増幅され、送信信号伝送路２４３を通して送信アンテナ２４４より送信される。その際、入力レベル検出型増幅回路２４０は、第１の感温素子２１１により送信信号伝送路２４３の温度を検出して、送信信号伝送路２４３における挿入損失ＬｏｓｓＴＸの温度特性を推定し、送信信号伝送路２４３の温度特性を含めた増幅利得の温度補償を行う。
【００８４】
上記の構成によれば、温度の変化に関わらず、正確な信号を送信することができる。また、送信信号伝送路２４３の挿入損失ＬｏｓｓＴＸを補正するための減衰器を別途設ける必要がないため、設備コストを削減することができる。また、伝送路が短く、挿入損失ＬｏｓｓＴＸが小さい場合は、消費電力を少なくすることで利得を調整することが可能な可変利得増幅回路を使用することにより、消費電力を低減できる。
【００８５】
［第１４の実施形態］
図１３（ａ）は第１４の実施形態における無線通信基地局装置の概略図、図１３（ｂ）は無線通信基地局装置のセル範囲を示す概略図である。図１３（ａ）において、無線通信基地局装置２５０は、第１１の実施形態の受信装置と、第１３の実施形態の送信装置とを備え、アンテナ２５１を使用して無線通信端末装置２５２と通信を行う。セル範囲２５３は、無線通信装置２５０が受け持つ通信範囲を示す。
【００８６】
無線通信基地局装置２５０は、無線通信端末装置２５２からの信号（端末装置送信信号）の受信レベルを温度の変化に関わらず正確に測定することができる。また、温度の変化に関わらず、無線通信端末装置２５２に正確な信号（基地局送信信号）を送信することができる。したがって、無線通信装置２５０のセル範囲２５３は、温度が変化した場合においても変動しない。
【００８７】
図１３（ｂ）において、第１〜第３のセル２５４〜２５６は、それぞれ無線通信装置２５０により構成される第１〜第３の無線通信装置のセル範囲を示している。上述したように、それぞれの無線通信基地局装置が受け持つセル範囲が温度変化によって変動しないため、お互いのセルに対して通信妨害などの影響を与えることがなく、かつそれぞれのセルにおいて通話品質の劣化が生じ難い。
【００８８】
【発明の効果】
以上説明したように、本発明の入力レベル検出型増幅回路によれば、利得増幅回路や検波器に温度特性のバラツキがあっても、入力信号レベルの検出精度を温度に依らず高精度に保つことができる。
【図面の簡単な説明】
【図１】（ａ）は第１の実施形態における入力レベル検出型増幅回路のブロック図、（ｂ）は利得調整部のブロック図
【図２】第２の実施形態における入力レベル検出型増幅回路のブロック図
【図３】第３および第４の実施形態における入力レベル検出型増幅回路のブロック図
【図４】（ａ）は第５の実施形態における入力レベル検出型増幅回路のブロック図、（ｂ）は可変利得増幅回路のブロック図
【図５】（ａ）は第６の実施形態における入力レベル検出型増幅回路のブロック図、（ｂ）は可変利得増幅回路のブロック図
【図６】（ａ）は第７の実施形態における入力レベル検出型増幅回路のブロック図、（ｂ）は可変利得増幅回路のブロック図
【図７】第８の実施形態における入力レベル検出型増幅回路の要部ブロック図
【図８】（ａ）は第９の実施形態における入力レベル検出型増幅回路のブロック図、（ｂ）は温度特性安定判定部のブロック図
【図９】第１０の実施形態における入力レベル検出型増幅回路のブロック図
【図１０】第１１の実施形態を示す受信装置のブロック図
【図１１】第１２の実施形態を示す信号伝送システムのブロック図
【図１２】第１３の実施形態における送信装置のブロック図
【図１３】（ａ）は第１４の実施形態における無線通信基地局装置の概略図、（ｂ）は無線通信基地局装置のセル範囲を示す概略図
【図１４】（ａ）は従来の入力レベル検出型増幅回路のブロック図、（ｂ）は利得調整部のブロック図
【図１５】従来の入力レベル検出型増幅回路における電源投入後の温度変化特性および相対利得変化特性を示す図
【図１６】従来の入力レベル検出型増幅回路における時刻対利得の相対利得変化特性を示す図
【図１７】無線通信基地局装置のセル範囲を示す概略図であり、（ａ）はセルに配置された無線通信基地局装置の送信信号の到達域が広くなった場合、無線通信基地局装置の送信信号の到達域が狭くなった場合を示している。
【図１８】従来の入力レベル検出型増幅回路の別の構成を示すブロック図
【図１９】（ａ）は可変利得増幅回路の温度対絶対利得特性を示す図、（ｂ）は可変利得増幅回路の温度対相対利得特性を示す図、（ｃ）は電流増幅率が標準値である可変利得増幅回路の温度特性を基準とした温度対相対利得特性を示す図
【図２０】（ａ）は検波器の温度対検波電圧特性を示す図、（ｂ）は電流増幅率が標準値の検波器において、基準温度における検波信号の電圧を基準とした温度対検波電圧相対値特性を示す図、（ｃ）は電流増幅率が標準値の検波器において、理想的な温度補償を行った場合の温度対検波電圧相対値特性示す図
【符号の説明】
１　入力端子
２　入力増幅器
３　可変利得増幅回路
４　分配器
５　出力端子
６　検波器
９　利得調整部
１０　増幅部
１３　利得制御信号補償部
１４　制御部
１５　感温素子
１６　利得制御信号補償値生成部
１８　Ｄ／Ａ変換器
２０　入力レベル信号生成部
２２　Ａ／Ｄ変換器
２３　基準温度検波電圧記憶部
２４　検波信号減算部
２５　選択部
５１　可変利得増幅回路
５２ａ〜５２ｎ　可変利得増幅器
５５ａ〜５５ｎ　感温素子
６１　可変利得増幅回路
６２　定電流型差動増幅器
７１　可変利得増幅回路
７２〜７４　定電流型差動増幅器
７５〜７７　カレントミラー回路
７８〜８０　増幅回路要素
９３　感温素子
９１　カレントミラー電流補正回路
９２　可変利得増幅回路
２００　温度特性安定判定部
２０１　利得制御信号入力端子
２０２　タイマー
２０４　利得制御信号記憶部
２０３　利得制御信号比較部
２０５　判定部
２１０　温度特性安定判定部
２１１，２３３　第１の感温素子
２１２　第２の感温素子
２２０　受信装置
２２２　受信フィルタ
２２３　入力レベル検出型増幅回路
２２４　復調回路
２３０　ブースタ装置
２４０　入力レベル検出型増幅回路
２４１　送信信号生成部
２４４　送信アンテナ
２５０　無線通信基地局装置
【図１】
2004104582.tif 000006
【図２】
2004104582.tif 000007
【図３】
2004104582.tif 000008
【図４】
2004104582.tif 000009
【図５】
2004104582.tif 000010
【図６】
2004104582.tif 000011
【図７】
2004104582.tif 000012
【図８】
2004104582.tif 000013
【図９】
2004104582.tif 000014
【図１０】
2004104582.tif 000015
【図１１】
2004104582.tif 000016
【図１２】
2004104582.tif 000017
【図１３】
2004104582.tif 000018
【図１４】
2004104582.tif 000019
【図１５】
2004104582.tif 000020
【図１６】
2004104582.tif 000021
【図１７】
2004104582.tif 000022
【図１８】
2004104582.tif 000023
【図１９】
2004104582.tif 000024
【図２０】
2004104582.tif 000025